(57)【要約】【課題】指で押すべき位置や押圧具の位置を容易に見付け出すことができ、容易確認することができる医療用具や動物用治療用具を提供する。【解決手段】柔軟部を備えたフレーム部の内部に設けられた逆止弁であって、柔軟部を指で押すと、逆止弁も押圧されて逆止弁が開状態になる逆止弁を備え、指で押す位置を示す着色部、蛍光塗料部、及び／または光反射部を柔軟部に設けている。【選択図】    図１
2004195078.tif 000002
【特許請求の範囲】
【請求項１】
柔軟部を備えたフレーム部の内部に設けられた逆止弁であって、柔軟部を指で押すと、逆止弁も押圧されて逆止弁が開状態になる逆止弁を備え、
指で押す位置を示す着色部、蛍光塗料部、及び／または光反射部を柔軟部に設けた、
医療用具及び動物治療用具。
【請求項２】
柔軟部を備えたフレーム部の内部に設けられた逆止弁であって、柔軟部を指で押すと、逆止弁も押圧されて開状態となり、指で押すのをやめると、逆止弁が正常状態に復帰するとともに、押圧具を用いて柔軟部を押圧状態に保つと、逆止弁も押圧されて開状態に保たれ、押圧具による押圧を解除すると逆止弁が正常状態に復帰する逆止弁を備え、
指で押す位置を示す第１の着色部、蛍光塗料部、及び／または光反射部を柔軟部に設け、
押圧具の押圧位置を示し、第１の着色部、蛍光塗料部、及び／または光反射部と容易に識別可能な第２の着色部、蛍光塗料部、及び／または光反射部を押圧具に設けた、
医療用具及び動物治療用具。
【発明の詳細な説明】
【０００１】
【産業上の利用分野】
本発明は医療用具及び動物用治療用具に関する。医療用具としては、カテーテルの留置針（外針）や内針、翼状針、カテーテル用プラグ、翼状針用プラグ、点滴チューブやそのプラグや側枝管を挙げることができる。
【０００２】
【従来の技術】
出願人は特願２００２−２６３８５４号において、フレーム部の一部に柔軟部を設け、柔軟部の内部に逆止弁を備えたカテーテルの外針、内針、翼状針、プラグ等を提案している。また、特願２００２−３０００４９号においてフレーム部の一部に柔軟部を設け、柔軟部の内部に逆止弁を備えた側枝管を提案している。さらに特願２００２−３４２２６６号において、フレーム部の一部に柔軟部を設け、柔軟部の内部に逆止弁を備え、柔軟部を押圧する押圧具を有するカテーテルの外針、内針、翼状針、プラグ、チューブ等を提案している。
【０００３】
【発明が解決しようとする課題】
しかしながら、従来の医療用具及び動物治療用具においては、指で押すべき位置や押圧具の位置を示す目印がまったく付いていなかったので、これらの位置を見付け出したり、確認するのが困難であった。特に、夜間は照明を消したり、暗くしてあるため、看護人等の医療従事者は、懐中電灯を点灯して、これらを見つけ出したり、確認しており、作業が困難である。
【０００４】
そこで、本発明の目的は、指で押すべき位置や押圧具の位置を容易に見付け出すことができ、容易確認することができる医療用具や動物用治療用具を提供することである。
【０００５】
【課題を解決する手段】
上記目的は、請求項１に記載の医療用具及び動物治療用具、すなわち、柔軟部を備えたフレーム部の内部に設けられた逆止弁であって、柔軟部を指で押すと、逆止弁も押圧されて逆止弁が開状態になる逆止弁を備え、指で押す位置を示す着色部、蛍光塗料部、及び／または光反射部を柔軟部に設けた、医療用具及び動物治療用具によって、達成される。
【０００６】
また、上記目的は、請求項２に記載の医療用具及び動物治療用具、すなわち、柔軟部を備えたフレーム部の内部に設けられた逆止弁であって、柔軟部を指で押すと、逆止弁も押圧されて開状態となり、指で押すのをやめると、逆止弁が正常状態に復帰するとともに、押圧具を用いて柔軟部を押圧状態に保つと、逆止弁も押圧されて開状態に保たれ、押圧具による押圧を解除すると逆止弁が正常状態に復帰する逆止弁を備え、指で押す位置を示す第１の着色部、蛍光塗料部、及び／または光反射部を柔軟部に設け、押圧具の押圧位置を示し、第１の着色部、蛍光塗料部、及び／または光反射部と容易に識別可能な第２の着色部、蛍光塗料部、及び／または光反射部を押圧具に設けた、医療用具及び動物治療用具によっても、達成される。
【０００７】
【発明の実施の形態】
以下、本発明の実施形態について、添付図面を参照して、説明する。
【０００８】
図１は本発明に係る第１実施形態のカテーテル用プラグの平面図である。
【０００９】
フレーム１は、小径部１１と、本体部１２と、フランジ部１３と、からなり、その材質は透明または半透明の軟らかい樹脂である。本体部１２のフランジ部寄りは円筒形であるが、小径部寄りは下部１８が平面であり、上部は薄肉部１６とボタン部１７と有している。ボタン部１７の上面を指で押すと、下部１８が患者の腕やももの皮膚に安定して接し、フレーム１が移動しにくい状態のまま、薄肉部１６がへこみ、下方へ移動する。そのため、薄肉部１６の下面が逆止弁３の弁本体３２に接し、下方へ圧下する。
【００１０】
ボタン部１７には蛍光塗料８５が円形に塗布されており、明るいときには肉眼で黄色に見え、暗くなると蛍光を発して光る。種々の色（赤、橙、緑、黄、青など）の蛍光塗料を使い分けることによって、カテーテル用プラグを暗い場所でも容易に見分けることができる。
【００１１】
他の実施形態としては、同心円の的状、星状、ハート状、花びら状、正方形、三角形等の形状に蛍光塗料を塗布してもよい。
【００１２】
弁本体は、シリコン系ゴム、ウレタン系ゴム、プラスチック系軟質材でできているのが好ましく、力が加わり弾性変形した後に、指を離して力を除くと、再びもとの形状に戻る。加圧し、その後に力を除くことを繰り返しても、もとの形状に戻る繰返し再現性の優れた弾性材料が好ましい。本実施形態においては、弁本体３２が「からす口状」であり、先端の２つの平板３２４、３２５の長辺は、フレーム１の下部１８に対し垂直方向に配置されている。通常において、平板３２４、３２５は、その長辺が互いに密接している。しかし、ボタン部１７を指で押圧すると、薄肉部１６が撓み、弁本体３２も下方へ押圧され、平板３２４、３２５は弓状に撓んで、平板３２４、３２５の間に隙間が生じる。その結果として、逆止弁３を通過して、液体が流通する。一方、ボタン部１７の押圧をやめると、弁本体３２はもとの形状に戻り、平板３２４、３２５は密接し、その間を流体は流通できなくなる。このため、医療従事者が片手でフレーム１を指で押しても転がって移動しなくなり、安定し無理なく操作することができる。
【００１３】
図２は本発明に係る第２実施形態の医療用側枝管の平面図である。
【００１４】
側枝管は、第１直管４と第２直管５と側枝６と合流部７とからなる。第１直管４と第２直管５とは一直線状に並んでいる。第１直管４と側枝６は合流部７で直交している。第２直管５と側枝６も合流部７で直交している。そして、内管４１と内管７１とは連続し、内管５１と内管７２とは連続し、内管５１と内管７３とは連続し、そして、内管７１、７２、７３は互いに連通している。
【００１５】
第１直管４の自由端４０１近くには直管キャップ９が螺合し、液密となっている。直管キャップ９は内底面９０１、外底面９０３、内周面９０２、外周面９０４、円環状端９０５、と嵌合突起９１とからなる。内周面９０２にはネジ溝が形成されている。一方、第１直管４の外周面４０３にも対応するネジ溝が形成されている。直管キャップ９を第１直管４の自由端４０１に螺合し始めると、嵌合突起９１が第１直管４の内部に挿入され、第１直管４の内周面４０２は嵌合突起９１の外周面と密接し始め、さらにネジ込むと液密となり、第１直管４の自由端４０１と直管キャップ９の内底面とが密接する。
【００１６】
側枝６の自由端６０１近くには側枝管キャップ１０が螺合し、液密となっている。側枝キャップ１０は内底面１００１、外底面１００３、内周面１００２、外周面１００４、円環状端１００５及び嵌合突起１０１とからなる。内周面１００２にはネジ溝が形成されている。一方、側枝６の外周面６０３にも対応するネジ溝が形成されている。側枝キャップ１０を側枝６の自由端６０１に螺合し始めると、嵌合突起１０１が側枝６の内部に挿入され、側枝６の内周面６０３は嵌合突起１０１の外周面と密接し始め、さらにネジ込むと液密となり、側枝６の自由端６０１と側枝キャップ１０の内底面１００１とが密接する。側枝の内部には逆止弁３が設置されており、側枝６の自由端６０１から合流部７へ向かう液は通すが、逆方向へは液が流れない。側枝６のうちの逆止弁３近くの側面の上部が薄肉部６２となっており、ボタン部６３を有しており、下部が平面部６４となっている。平面部６４を患者の皮膚等に密接した状態で、ボタン部６３の上面を指で押すと、薄肉部６２が弾性的にへこみ、下方へ移動する。そのため、薄肉部６２の下面が逆止弁３に接し、逆止弁に側方から力が加わる。よって、弁本体３２が変形し、スリットが開き、逆流する。
【００１７】
弁本体は、シリコン系ゴム、ウレタン系ゴム、プラスチック系軟質材でできているのが好ましく、力が加わり弾性変形した後に、指を離して力を除くと、再びもとの形状に戻る。加圧し、その後に力を除くことを繰り返しても、もとの形状に戻る繰返し再現性の優れた弾性材料が好ましい。本実施形態においては、弁本体３２が「からす口状」であり、先端の２つの平板の長辺は、側枝管の下部に対し垂直方向に配置されている。通常において、２つの平板は、その長辺が互いに密接している。しかし、ボタン部６３を指で押圧すると、薄肉部６２が撓み、弁本体３２も下方へ押圧され、平板は弓状に撓んで、２つの平板の間に隙間が生じる。その結果として、逆止弁３を通過して、液体が流通する。一方、ボタン部６３の押圧をやめると、弁本体３２はもとの形状に戻り、２つの平板は密接し、その間を流体は流通できなくなる。このため、医療従事者が片手で側枝管を指で押しても転がって移動しなくなり、安定し無理なく操作することができる。
【００１８】
ボタン部６３には、表面に蛍光塗料を塗布し裏面に接着剤を塗布した蛍光接着シート８６が貼布されている。
【００１９】
蛍光接着シートの形状は、同心円からなる的状、円形、星形、ハート形、三角形、四角形、矢印形になっている。
【００２０】
図３、図４は本発明に係る第３実施形態のカテーテル用プラグの正面図である。
【００２１】
フレーム１の本体部１２の上に、押圧具８をまたがせて、押圧具８の突出部８２１、８３１を、それぞれ、本体部１２の直線溝４ａ、４ｂに係合させ、直線溝４ａ、４ｂに沿って突出部８２１、８３１を案内し直線運動させると、押圧具８はフレーム１の中心軸８９に沿って薄肉部１６の上方を移動する。
【００２２】
図３に示すように、押圧具８をフレーム１の小径部１１へ近づけると、フレーム１の小突起１９が押圧具８の係合くぼみ８１３に係合する。この位置にあるのが通常状態であり、逆止弁の内面に作用する液圧が外面に作用する液圧に比べて所定値以上大きくない場合には、図３（ｂ）に示すように、（ａ）のＡ−Ａ断面については弁本体の先端近くの平板３２４、３２５はその長辺が互いに接している。
【００２３】
一方、図４に示すように、押圧具８をフランジ部１３へ近づけると、まず、小突起１９と係合くぼみ８１３との係合が外れ、続いて押圧具８の中央板８１の肉厚部８１１の下面が、フレーム１のボタン部１７に当接してボタン部１７を下方へ押圧する。すると、フレーム１の本体部１２の薄肉部１６も下方へ撓み、逆止弁３の弁本体３２の先端近くにある平板３２４、３２５の長辺方向に圧縮力が作用する状態に保たれる。そして、２つの平板３２４、３２５の間に隙間が生じるように離れ、開口状態に保たれる。
【００２４】
ボタン部１７には蛍光塗料８５が塗布されている。そして、押圧具８の中央板の上面には反射板接着シート８７が貼付されている。反射板接着シートは表面がアルミニウム反射板であり、裏面に接着剤が塗布されている。
【００２５】
暗闇の中でボタン部１７の蛍光と押圧具の反射光がともに近づいて確認されれば、逆止弁は正常状態である。一方、押圧具８の反射光だけが認識されれば、ボタン部１７の上に押圧具が来ており、開状態である。
【００２６】
【発明の効果】
本発明に係る医療用具及び動物治療用具によれば、消灯時においても、容易に指で押すべき位置（ボタン部など）を見付け出すとともに、押圧具の位置や状態を容易に知得することができるので、医療従事者の夜間作業が楽になるとともに、医療事故が起こりにくくなる。
【図面の簡単な説明】
【図１】本発明に係る第１実施形態のカテーテル用プラグの平面図である。
【図２】本発明に係る第２実施形態の医療用側枝管の平面図である。
【図３】本発明に係る第３実施形態のカテーテル用プラグの正面図である。
【図４】本発明に係る第３実施形態のカテーテル用プラグの正面図である。
【符号の説明】
１  フレーム
１１  小径部
１２  本体部
１３  フランジ部
１６  薄肉部
１７  ボタン部
１８  下部
１９  小突起
３  逆止弁
３２  弁本体
３２４  平板
３２５  平板
４  第１直管
４ａ  直線溝
４ｂ  直線溝
４１  内管
４０１  自由端
５  第２直管
５１  内管
６  側枝
６２  薄肉部
６３  ボタン部
６４  平面部
６０１  自由端
６０３  外周面
７  合流部
７１  内管
７２  内管
７３  内管
８  押圧具
８１  中央板
８５  蛍光塗料
８６  蛍光接着シート
８７  反射板接着シート
８９  中心軸
８１１  肉厚部
８１３  係合くぼみ
８２１  突出部
８３１  突出部
９  直管キャップ
９１  嵌合突起
９０１  内底面
９０２  内周面
９０３  外底面
９０４  外周面
９０５  円環状端
１０  側枝管キャップ
１０１  嵌合突起
１００１  内底面
１００２  内周面
１００３  外底面
１００４  外周面
１００５  円環状端
【図１】
2004195078.tif 000003
【図２】
2004195078.tif 000004
【図３】
2004195078.tif 000005
【図４】
2004195078.tif 000006